(57)【要約】【課題】ユーザが検査を継続する負荷を低減することができる検査情報管理システム、検査情報管理サーバ、検査情報管理方法、及び検査情報管理プログラムを提供すること。【解決手段】ユーザに紐づけられるユーザ情報と、ユーザの生体状態に関する情報である第１及び第２の検査結果情報と、を記憶可能なユーザ情報記憶部１１４と、第１の検査結果情報及び／又はユーザ情報により、ユーザにリコメンドする商品の情報であるリコメンド情報を生成する制御部１１２と、を備え、制御部１１２は、ユーザによってリコメンド情報から選択された商品の使用情報を条件として利用して、第２の検査結果情報を生成する。【選択図】図１
2020035082.tif 000002
【特許請求の範囲】
【請求項１】
ユーザに紐づけられるユーザ情報と、前記ユーザの生体状態に関する情報である第１及び第２の検査結果情報と、を記憶可能なユーザ情報記憶部と、
前記第１の検査結果情報及び／又は前記ユーザ情報により、前記ユーザにリコメンドする商品の情報であるリコメンド情報を生成する制御部と、
を備え、
前記制御部は、前記ユーザによって前記リコメンド情報から選択された商品の使用情報を条件として利用して、第２の検査結果情報を生成する検査情報管理システム。
【請求項２】
前記第１の検査結果情報は、第１の検査キットにより前記ユーザから採取される第１の検体の検査結果を含み、前記第２の検査結果情報は、第２の検査キットにより前記ユーザから採取される第２の検体の検査結果を含み、
前記制御部は、前記ユーザが前記リコメンド情報から選択した商品の使用情報に基づき、前記第２の検査キットの発送情報を生成する請求項１に記載の検査情報管理システム。
【請求項３】
前記第１の検査結果情報及び前記第２の検査結果情報は、前記ユーザから送信される情報による検査結果である請求項１に記載の検査情報管理システム。
【請求項４】
複数の商品情報を記憶する商品情報記憶部を備え、
前記商品情報記憶部に記憶される前記複数の商品情報は、それぞれエントリ可能数に関する情報を含み、
前記ユーザが、前記リコメンド情報から商品を選択することに応じて、当該商品に対応するエントリ可能数に関する情報を変更する請求項１から３のいずれか一項に記載の検査情報管理システム。
【請求項５】
前記制御部は、前記エントリ可能数に関する情報がエントリ可能条件を満たさないと判別した場合、当該エントリ可能数に対応する商品を含めずにリコメンド情報を生成する請求項４に記載の検査情報管理システム。
【請求項６】
前記制御部は、前記ユーザがリコメンド情報から選択した商品の供給元に対して前記第２の検査に関する対価の支払いを請求する請求情報を生成する請求項１から５のいずれか一項に記載の検査情報管理システム。
【請求項７】
前記制御部は、前記第２の検査キットの発送情報を生成する場合に前記請求情報を生成する請求項２に従属する請求項６に記載の検査情報管理システム。
【請求項８】
前記ユーザ情報記憶部は、前記ユーザが回答する第１の検査結果情報に関連するアンケート情報を記憶し、
前記制御部は、前記アンケート情報を用いて前記リコメンド情報を生成する請求項１から７のいずれか一項に記載の検査情報管理システム。
【請求項９】
前記制御部は、前記第１の検査結果情報を用いて前記リコメンド情報を生成する請求項１から８のいずれか一項に記載の検査情報管理システム。
【請求項１０】
前記検査情報管理システムは、ユーザが使用するユーザ端末に対し、前記制御部が生成する前記リコメンド情報を送信し、前記ユーザが選択した商品の情報を前記ユーザ端末から受信する請求項１から９のいずれか一項に記載の検査情報管理システム。
【請求項１１】
前記制御部は、前記ユーザが選択した商品の情報を用いて商品オーダー情報を生成し、前記ユーザが選択した商品の供給元である企業の企業端末に送信する請求項１０に記載の検査情報管理システム。
【請求項１２】
前記商品の使用情報は、前記商品の写真及び／又は前記商品を特定するコードを含むものである請求項１から１１のいずれか一項に記載の検査情報管理システム。
【請求項１３】
前記商品は、食品、栄養補助食品、化粧品類、美容に関するサービス、及び健康に関するサービスのうち少なくとも１つを含むものである請求項１から１２のいずれか一項に記載の検査情報管理システム。
【請求項１４】
ユーザに紐づけられるユーザ情報と、前記ユーザの生体状態に関する情報である第１及び第２の検査結果情報と、を記憶可能なユーザ情報記憶部と、
前記第１の検査結果情報及び／又は前記ユーザ情報により、前記ユーザにリコメンドする商品の情報であるリコメンド情報を生成する制御部と、
を備え、
前記制御部は、前記ユーザによってリコメンド情報から選択された商品の使用情報を条件として利用して、第２の検査結果情報を生成する検査情報管理サーバ。
【請求項１５】
ユーザ情報記憶部が、ユーザに紐づけられるユーザ情報と、ユーザの生体状態に関する情報である第１の検査結果情報と、を記憶するステップと、
制御部が、前記第１の検査結果情報及び／又は前記ユーザ情報により、前記ユーザにリコメンドする商品の情報であるリコメンド情報を生成するステップと、
前記制御部が、前記ユーザがリコメンド情報から選択した商品の使用情報を条件として利用して、第２の検査結果情報を生成するステップと、
を備える検査情報管理方法。
【請求項１６】
ユーザに紐づけられるユーザ情報と、ユーザの生体状態に関する情報である第１の検査結果情報と、を記憶するステップと、
前記第１の検査結果情報及び／又は前記ユーザ情報により、前記ユーザにリコメンドする商品の情報であるリコメンド情報を生成するステップと、
前記ユーザがリコメンド情報から選択した商品の使用情報を条件として利用して、第２の検査結果情報を生成するステップと、
をコンピュータに実行させるための検査情報管理プログラム。
【発明の詳細な説明】
【技術分野】
【０００１】
本発明は、生体状態の検査情報の管理を行う検査情報管理システム、検査情報管理サーバ、検査情報管理方法、及び検査情報管理プログラムに関する。
【背景技術】
【０００２】
日常的な健康管理を行うためには、自宅で簡単な検査が行なえる在宅検査が有効であり、近年、在宅検査のための検査キットの配送サービスが行なわれている。また、市場においては、健康増進のための栄養食品、栄養補助食品（サプリメント）等の商品が販売されている。
【０００３】
検査キットの更なる普及のため、サプリメントと、そのサプリメントの効果を検査するための検査キットとをパックでユーザに提供するための方法が提案されている（特許文献１）。
【先行技術文献】
【特許文献】
【０００４】
【特許文献１】特開２００６−２３４７１４号公報
【発明の概要】
【発明が解決しようとする課題】
【０００５】
上記特許文献１は、サプリメントの効果測定という検査キットの使用目的をユーザに提案し、ユーザの適切なサプリメント摂取を推奨することにより、検査キットの普及を図るものである。
【０００６】
しかしながら、サプリメントと検査キットがパックとして同時に提供されるため、サプリメントの効果測定のために複数の検査キットがパックされると、ユーザがパックを導入するための経済的負荷が高くなるおそれがある。経済的負荷が高くなりユーザがパックの導入を躊躇することとなると、それは、すなわち検査キットのさらなる普及を妨げる要因となり得る。
【０００７】
本発明は、このような問題点を解決するためになされたもので、その目的とするところは、ユーザが検査を継続する負荷を低減することができる検査情報管理システム、検査情報管理サーバ、検査情報管理方法、及び検査情報管理プログラムを提供することにある。
【課題を解決するための手段】
【０００８】
上記した目的を達成するために、本発明に係る検査情報管理システムは、ユーザに紐づけられるユーザ情報と、前記ユーザの生体状態に関する情報である第１及び第２の検査結果情報と、を記憶可能なユーザ情報記憶部と、前記第１の検査結果情報及び／又は前記ユーザ情報により、前記ユーザにリコメンドする商品の情報であるリコメンド情報を生成する制御部と、を備え、前記制御部は、前記ユーザによって前記リコメンド情報から選択された商品の使用情報を条件として利用して、第２の検査結果情報を生成する。
【０００９】
また、前記第１の検査結果情報は、第１の検査キットにより前記ユーザから採取される第１の検体の検査結果を含み、前記第２の検査結果情報は、第２の検査キットにより前記ユーザから採取される第２の検体の検査結果を含み、前記制御部は、前記ユーザが前記リコメンド情報から選択した商品の使用情報に基づき、前記第２の検査キットの発送情報を生成してもよい。
【００１０】
また、前記第１の検査結果情報及び前記第２の検査結果情報は、前記ユーザから送信される情報による検査結果であってもよい。
【００１１】
また、複数の商品情報を記憶する商品情報記憶部を備え、前記商品情報記憶部に記憶される前記複数の商品情報は、それぞれエントリ可能数に関する情報を含み、前記ユーザが、前記リコメンド情報から商品を選択することに応じて、当該商品に対応するエントリ可能数に関する情報を変更してもよい。
【００１２】
また、前記制御部は、前記エントリ可能数に関する情報がエントリ可能条件を満たさないと判別した場合、当該エントリ可能数に対応する商品を含めずにリコメンド情報を生成してもよい。
【００１３】
また、前記制御部は、前記ユーザがリコメンド情報から選択した商品の供給元に対して前記第２の検査に関する対価の支払いを請求する請求情報を生成してもよい。
【００１４】
また、前記制御部は、前記第２の検査キットの発送情報を生成する場合に前記請求情報を生成してもよい。
【００１５】
また、前記ユーザ情報記憶部は、前記ユーザが回答する第１の検査結果情報に関連するアンケート情報記憶し、前記制御部は、前記アンケート情報を用いて応じて前記リコメンド情報を生成してもよい。
【００１６】
また、前記制御部は、前記第１の検査結果情報を用いて前記リコメンド情報を生成してもよい。
【００１７】
また、前記検査情報管理システムは、ユーザが使用するユーザ端末に対し、前記制御部が生成する前記リコメンド情報を送信し、前記ユーザが選択する商品の情報を前記ユーザ端末から受信してもよい。
【００１８】
また、前記制御部は、前記ユーザが選択した商品の情報を用いて商品オーダー情報を生成し、前記ユーザが選択した商品の供給元である企業の企業端末に送信してもよい。
【００１９】
また、前記ユーザ端末から受信する前記商品の使用情報は、前記商品の写真及び／又は前記商品を特定するコードを含むものであってもよい。
【００２０】
また、前記商品は、食品、栄養補助食品、化粧品類、美容に関するサービス、及び健康に関するサービスのうち少なくとも１つを含むものであってもよい。  
【００２１】
また、上記した目的を達成するために、本発明に係る検査情報管理サーバは、ユーザに紐づけられるユーザ情報と、前記ユーザの生体状態に関する情報である第１及び第２の検査結果情報と、を記憶可能なユーザ情報記憶部と、前記第１の検査結果情報及び／又は前記ユーザ情報により、前記ユーザにリコメンドする商品の情報であるリコメンド情報を生成する制御部と、を備え、前記制御部は、前記ユーザによってリコメンド情報から選択された商品の使用情報を条件として利用して、第２の検査結果情報を生成する。
【００２２】
また、上記した目的を達成するために、本発明に係る検査情報管理方法は、ユーザ情報記憶部が、ユーザに紐づけられるユーザ情報と、ユーザの生体状態に関する情報である第１の検査結果情報と、を記憶するステップと、制御部が、前記第１の検査結果情報及び／又は前記ユーザ情報により、前記ユーザにリコメンドする商品の情報であるリコメンド情報を生成するステップと、前記制御部が、前記ユーザがリコメンド情報から選択した商品の使用情報を条件として利用して、第２の検査結果情報を生成するステップと、を備える。
【００２３】
また、上記した目的を達成するために、本発明に係る検査情報管理プログラムは、ユーザに紐づけられるユーザ情報と、ユーザの生体状態に関する情報である第１の検査結果情報と、を記憶するステップと、前記第１の検査結果情報及び／又は前記ユーザ情報により、前記ユーザにリコメンドする商品の情報であるリコメンド情報を生成するステップと、前記ユーザがリコメンド情報から選択した商品の使用情報を条件として利用して、第２の検査結果情報を生成するステップと、をコンピュータに実行させる。
【発明の効果】
【００２４】
上記手段を用いる本発明によれば、ユーザが検査を継続する負荷を低減することができる。
【図面の簡単な説明】
【００２５】
【図１】本発明の第１の実施形態に係る検査情報管理システムを示すシステム構成図である。
【図２】ユーザがマイページログインを行う際の端末装置の画面を示す概略図である。
【図３】ユーザが検査キットの検査依頼を行う際の端末装置の画面を示す概略図である。
【図４】ユーザがアンケートの入力を行う際の端末装置の画面を示す概略図である。
【図５】ユーザに検査キットの測定結果を表示する際の端末装置の画面を示す概略図である。
【図６】ユーザに商品の使用状況を示すためのカレンダーを表示する際の端末装置の画面を示す概略図である。
【図７】本発明の第１の実施形態に係る検査情報管理システムの動作手順を示すフローチャートである。
【図８】本発明の第２の実施形態に係る検査情報管理システムを示すシステム構成図である。
【図９】本発明の第２の実施形態に係る検査情報管理システムの動作手順を示すフローチャートである。
【図１０】本発明の第３の実施形態に係る検査情報管理システムの動作手順を示すフローチャートである。
【発明を実施するための形態】
【００２６】
以下、本発明の実施形態を図面に基づき説明する。
【００２７】
（第１の実施形態）
＜構成＞
図１は、本発明の第１の実施形態に係る検査情報管理サーバ１０１を含む検査情報管理システム１を示すシステム構成図である。検査情報管理システム１は、サービス事業者（以下、事業者という）が運営する、検査キットの管理や、キャンペーンに係る商品の管理をユーザに提供するサービスを行うためのシステムである。当該サービスは、具体的には、第１の検査キットを購入したユーザに対して、事業者がリコメンドする商品のキャンペーンにユーザがエントリし、条件を満たすことにより、ユーザが第２の検査キットを入手することができるものである。
【００２８】
事業者は、検査キットを供給する事業者である。また、商品供給者は、例えば食品メーカや化粧品メーカであり、ユーザの生体に影響を与える商品を供給する者である。ユーザの生体に影響を与える商品は、例えば、サプリメント（栄養補助食品）、飲食物、化粧品類等である。
【００２９】
商品供給者は、事業者が提供するサービスに参加し、ユーザへのリコメンド対象となる商品を供給する。商品供給者は、サービスに参加し、事業者に対して費用の支払いを行う。事業者は、商品供給者から支払われる費用により、ユーザに第２の検査キットを無償又は廉価に提供することができる。
【００３０】
図１に示すように、本実施形態に係る検査情報管理システム１は、インターネット、ＶＰＮ（Virtual Private Network）等のネットワークＮＷを介して、ユーザ側が使用する端末装置であるユーザ端末２０１と、事業者の検査情報管理サーバ１０１とが接続されて構成されている。なお、説明の簡略化のため図１では一人のユーザを想定してユーザ端末２０１のみを示しているが、検査情報管理サーバ１０１はネットワークＮＷを介して複数のユーザと接続可能である。なお、本実施形態では、検査情報管理サーバ１０１と、ユーザ端末２０１がネットワークＮＷを介して情報の送受信を行っているが、各端末を持いることなく、電話や、郵送、ＦＡＸ等を用いて情報の送受信を行っても構わない。
【００３１】
検査キットは、例えば、エクオール検査、インドキシル検査、食塩摂取量検査、カラダのサビつき検査、腸内環境検査等を、生体の尿や、血液、毛髪、爪、皮膚、唾液、汗、精液等、生体から採取した検体を使用することで生体状態を検査することができるキットである。検査キットは、個々に検査ＩＤが付与されており、検査ＩＤごとに、検査キットの流通経路を管理することができる。例えば、ある検査ＩＤが付された検査キットは店舗で購入されたものであり、また別の検査ＩＤが付された検査キットは、ｅコマースサイト経由で購入されたものであることをトレースできる。
【００３２】
検査情報管理サーバ１０１は、通信部１１１と、制御部１１２と、入力部１１３と、ユーザ情報記憶部１１４と、商品情報記憶部１１５と、を備える。
【００３３】
通信部１１１は、ネットワークＮＷを介してユーザ端末２０１と通信を行う通信インタフェースである。通信部１１１は、例えば、ユーザ端末２０１から送信されるユーザの住所や性別等の個人情報を含む基礎情報（ユーザ情報）を受信する。また、通信部１１１は、ユーザ端末２０１に、検査結果情報及びリコメンド情報を送信する。
【００３４】
制御部１１２は、検査キットの発送情報や、入力された検査結果をユーザに提供するための検査結果情報、ユーザにリコメンドする商品を商品情報記憶部１１５から抽出し、当該商品に係るキャンペーンの情報をリコメンド情報として生成する。また、制御部１１２は、商品使用情報から商品の使用条件を満たしているか否かを判別する。
【００３５】
入力部１１３は、キーボードやタッチパネル等の入力装置である。入力部１１３は、検査情報管理サーバ１０１とは物理的に独立したパーソナルコンピュータ（以下、ＰＣという）や、スマートフォン、タブレットＰＣ、及び携帯電話のような携帯端末であっても構わない。
【００３６】
ユーザ情報記憶部１１４は、通信部１１１が受信した、又は、入力部１１３から入力された、基礎情報や、検査ＩＤ、アンケート情報等のユーザの個人に紐づけられる情報（ユーザ情報）を記憶する。また、入力部１１３から入力される、検査キットの検査結果を、ユーザの基礎情報、検査ＩＤと紐づけて記憶する。また、ユーザ情報記憶部１１４は、通信部１１１が受信した商品使用情報を記憶する。ユーザ情報記憶部１１４は、検査情報管理サーバ１０１とは物理的に独立した記憶装置であっても構わない。
【００３７】
商品情報記憶部１１５は、通信部１１１が受信した、又は、入力部１１３から入力されたユーザにリコメンドするための商品の情報であり、商品供給者が当該サービスにキャンペーンとしてエントリする商品の情報を商品情報として記憶する。商品情報は、商品の属性（サプリメント、飲食物、化粧品類等）、商品の名称、商品のチャレンジ期間（推奨使用期間）、商品の使用頻度、エントリ数等の情報を含むものである。商品供給者は、キャンペーンの応募者の上限を定めることができ、例えば応募者の上限が１００人の場合、エントリ数を１００枠と設定して記憶する。商品情報記憶部１１５は、検査情報管理サーバ１０１とは物理的に独立した記憶装置であっても構わない。
【００３８】
ユーザ端末２０１は、例えばＰＣや、スマートフォン、タブレットＰＣ、及び携帯電話のような携帯端末であり、少なくともｗｅｂ情報を表示可能な端末である。ユーザ端末２０１は、端末にインストールされた専用のアプリケーションソフトウェアによって検査情報管理サーバ１０１にアクセスしてもよい。また、検査情報管理サーバ１０１が提供する動作環境（ＡＰＩ（アプリケーションプログラミングインタフェース）、プラットフォーム等）を利用して検査情報管理サーバ１０１にアクセスしてもよい。
【００３９】
＜ユーザ端末画面＞
次に、本発明の実施形態に係るユーザ端末２０１に表示される表示画面について、図２から図６を参照しながら説明する。
【００４０】
図２は、ユーザが、事業者にアクセスするためのマイページへのログイン又はマイページへの新規登録を行う際のユーザ端末２０１を示す端末装置５０１の画面５０２を示す概略図である。ユーザは、ユーザＩＤおよびパスワードを入力することで、マイページにログインすることができる。マイページでは、検査キットの検査依頼やアンケートの入力、検査結果の表示や、キャンペーンへのエントリを行うことができる。ユーザがマイページへ新規登録を行う場合には、ユーザＩＤ、ユーザのメールアドレス、ユーザが希望するパスワード、氏名、性別、生年月日、住所、電話番号等の入力を行う。入力された情報は、基礎情報として、ユーザ端末２０１から、検査情報管理サーバ１０１へ送信される。
【００４１】
図３は、マイページにおいて、ユーザが検査キットの検査依頼を行う際のユーザ端末２０１を示す端末装置５０１の画面５０２を示す概略図である。ユーザは、購入した第１の検査キットに割り当てられた検査ＩＤを、入力画面で入力し送信ボタンを押すことで、検査情報管理サーバ１０１に、当該第１の検査キットの検査ＩＤが送信される。
【００４２】
図４は、マイページにおいて、ユーザがアンケートの入力を行う際のユーザ端末２０１を示す端末装置５０１の画面５０２を示す概略図である。アンケートは、例えば、ユーザのライフスタイルや、過去の検査結果、嗜好等について問うものであり、例えば「大豆食品を週にどれくらい食べていますか。」のような質問や、「乳製品は好きですか。」のような質問である。アンケートは、アンケート情報として検査情報管理サーバ１０１に送信される。
【００４３】
図５は、マイページにおいて、ユーザに検査キットの測定結果を表示する際のユーザ端末２０１を示す端末装置５０１の画面５０２を示す概略図である。図５では、第１の検査キットの第１の検査結果が、例えば「Ｂランク：やや好調」のような形で検査結果情報として表示される。また、当該ユーザにリコメンドされる商品が表示される。例えば、キャンペーンＡは、商品Ａがリコメンドされるものであり、ユーザが当該キャンペーンに参加を希望する場合には「参加する」ボタンを押すことができる。
【００４４】
図６は、マイページにおいて、ユーザに商品の使用状況を示すためのカレンダーを表示する際のユーザ端末２０１を示す端末装置５０１の画面５０２を示す概略図である。例えば、図６は、キャンペーンに応募したユーザが、２０１７年３月２３日から２５日まで、連続して商品を使用していることを示している。
【００４５】
＜処理の流れ＞
次に、本発明の実施形態に係る検査情報管理システム１の動作について、図７に示すフローチャートを参照しながら説明する。
【００４６】
図７は、検査キットに関する管理手順を示すフローチャートである。図７のフローチャートは、検査情報管理サーバ１０１、ユーザ端末２０１の各動作の関連状態を示している。
【００４７】
ステップＳ１０１において、ユーザは、初回の検査（第１の検査）を行うための検査キット（以下第１の検査キット）を購入する。具体的には、ユーザは、店舗にて第１の検査キットを購入することができる。また、ユーザは、ユーザ端末２０１から購入を希望する第１の検査キットを選択し、オーダーを行って第１の検査キットを購入してもよい。なお、ユーザは、ユーザ端末２０１以外の端末装置を用いてｅコマースサイトを通じて第１の検査キットのオーダーを行っても構わないし、ＦＡＸを用いてオーダーを行っても構わない。
【００４８】
ステップＳ１０２において、ユーザは、事業者に対してマイページ登録を行う。具体的には、ユーザは、ユーザ端末２０１の図２で示す画面から新規登録を行い、ユーザ個人の基礎情報を入力する。ユーザ端末２０１は、入力された基礎情報を、検査情報管理サーバ１０１に送信する。基礎情報は、例えば、ユーザＩＤ、ユーザのメールアドレス、ユーザが希望するパスワード、氏名、性別、生年月日、住所、電話番号等の個人に紐づけられる情報である。なお、ユーザは、ユーザ端末２０１を用いずに、基礎情報を、郵送やＦＡＸ等により事業者に送信しても構わない。なお、マイページ登録は、必ずしも検査キットを購入する毎に行う必要はなく、異なる種類の検査キットを初めて購入した場合であっても、ユーザが過去に登録を行っていれば当該ステップはスキップしても構わない。
【００４９】
ステップＳ１０３において、ユーザ情報記憶部１１４は、通信部１１１が受信した基礎情報を記憶する。郵送やＦＡＸ等により事業者に送信された場合には、送信された基礎情報を入力部１１３から入力し、記憶する。
【００５０】
ステップＳ１０４において、ユーザは、第１の検査キットに記されている検査ＩＤ及び、アンケート情報を事業者に登録する。具体的には、ユーザは、ユーザ端末２０１から、図３で示す画面で、検査ＩＤを入力する。引き続き、図４で示す画面で、アンケートの入力を行う。ユーザ端末２０１は、入力された検査ＩＤ及びアンケート情報を、検査情報管理サーバ１０１に送信する。なお、ユーザは、ユーザ端末２０１を用いずに、検査ＩＤ及びアンケート情報を、郵送やＦＡＸ等により事業者に送信しても構わない。
【００５１】
ステップＳ１０５において、ユーザ情報記憶部１１４は、通信部１１１が受信した検査ＩＤ及びアンケート情報を記憶する。郵送やＦＡＸ等により事業者に送信された場合には、ユーザ情報記憶部１１４は、入力部１１３から入力された検査ＩＤ及びアンケート情報を記憶する。
【００５２】
ステップＳ１０６において、ユーザは、第１の検査キットを使用し第１の検体を採取する。そして、ユーザは採取した第１の検体を事業者に送付する。第１の検体は、初回すなわち第１の時点でユーザ生体から採取したものである。ユーザは、第１の検体が例えば尿である場合に、尿を採取した瓶や、尿を濾紙にしみこませ乾燥させたものを郵送や宅配便にて事業者に送付することができる。
【００５３】
ステップＳ１０７において、事業者は、ステップＳ１０６でユーザから送付された第１の検体の検査を行う。ユーザ情報記憶部１１４は、入力部１１３から入力される第１の検体の検査結果をユーザの基礎情報、検査ＩＤと紐づけて記憶する。
【００５４】
ステップＳ１０８において、制御部１１２は、入力された検査結果をユーザに提供する第１の検査結果情報として生成し、ユーザ情報記憶部１１４に記憶する。第１の検査結果情報は、第１の検査により第１の時点でのユーザの生体状態を示す情報である。
【００５５】
ステップＳ１０９において、制御部１１２は、ユーザが購入した第１の検査キットの種類、ユーザの基礎情報、アンケート情報、第１の検査結果情報をもとに、ユーザにリコメンドする商品を商品情報記憶部１１５から抽出し、当該商品に係るキャンペーンの情報をリコメンド情報として生成する。制御部１１２は、第１の検査の情報である検査ＩＤから、検査キットの種類を特定することができる。例えば、制御部１１２は、腸内状態を検査する種類の検査キットを購入したユーザであって、乳製品が好きというアンケート情報がある場合、腸内環境へ効果を及ぼすヨーグルト商品等をリコメンド商品として抽出し、当該リコメンド商品のキャンペーンをリコメンド情報として生成する。また、制御部１１２は、第１の検査結果情報が悪い生体状態を示す場合より効果の高い商品のリコメンドを行い、第１の検査結果情報が良い場合リコメンドを行わないという判定を行っても構わない。なお、第１の検査の情報は、検査キットの種類を示す情報であっても構わない。
【００５６】
ステップＳ１１０において、制御部１１２は、リコメンド情報に含まれるキャンペーンが、キャンペーンのエントリ数に残数があるか否かを判別する。残数がある（Ｙ）場合、ステップＳ１１１へ処理を進める。残数がない（Ｎ）場合、ステップＳ１０９へ処理を進め、当該キャンペーンに係る商品は除外して再度リコメンドする商品を抽出し、当該商品のキャンペーンを含むリコメンド情報を生成する。
【００５７】
ステップＳ１１１において、制御部１１２は、通信部１１１及びネットワークＮＷを介して、生成された第１の検査結果情報及びリコメンド情報を、ユーザ端末２０１に送信する。なお、事業者は、第１の検査結果情報及びリコメンド情報を、ユーザを特定する基礎情報に基づいて、郵送やＦＡＸ等により通知を行っても構わない。
【００５８】
ステップＳ１１２において、ユーザは、リコメンドされた商品に関連するキャンペーンを選択し、キャンペーンへのエントリを行う。具体的には、ユーザは、ユーザ端末２０１から、図５で示す画面で、各商品のキャンペーンに対応する「参加する」ボタンを押すことにより、キャンペーンへのエントリを行う。ユーザ端末２０１は、選択された商品の情報をキャンペーンエントリ情報としてネットワークＮＷを介して検査情報管理サーバ１０１に送信する。なお、ユーザは、キャンペーンエントリ情報を、郵送やＦＡＸ等により事業者に送信しても構わない。
【００５９】
ステップＳ１１３において、通信部１１１はキャンペーンエントリ情報を受信する。制御部１１２は、キャンペーンエントリ情報に基づいて、キャンペーンへのエントリを行ったキャンペーンの情報（キャンペーン管理情報）をユーザ情報としてユーザ情報記憶部１１４に記憶する。その際、制御部１１２は、商品情報記憶部１１５に記憶された商品情報のエントリ数を１枠、減算する。
【００６０】
ステップＳ１１４において、ユーザは、キャンペーンへのエントリを行った対象の商品を購入する。ユーザは商品を店舗で購入してもよいし、ｅコマースサイトを通じて購入しても構わない。また、ユーザは、商品を提供する商品供給者から直接郵送等により購入しても構わないし、事業者や、他の仲介業者を介して購入しても構わない。
【００６１】
ステップＳ１１５において、ユーザは、商品の使用を開始し、商品の使用状況の情報を事業者に送信する。具体的には、ユーザは、ユーザ端末２０１から、商品を商品供給者が推奨するタイミングで使用していることを示す商品使用情報を入力し、ネットワークＮＷを介して検査情報管理サーバ１０１に送信する。より具体的には、ユーザは、商品を使用する際に、商品自体の写真や、商品を特定するために付されるコード（例えばＱＲコード（登録商標））等を撮影し、当該写真と撮影日の情報を紐づけて商品使用情報としてユーザ端末２０１から検査情報管理サーバ１０１に送信する。また、ユーザが、商品を使用するタイミングで専用のアプリケーションソフトを起動し、ユーザが使用状況を入力することで、商品使用情報をユーザ端末２０１から検査情報管理サーバ１０１に送信しても構わない。また、ユーザが、商品を使用するタイミングで専用のアプリケーションソフトを起動するだけで、商品使用情報をユーザ端末２０１から検査情報管理サーバ１０１に送信しても構わない。なお、商品使用情報は、例えば、図６で示すユーザ端末２０１の画面により、使用状況を確認することができる。当該画面に表示する情報は、検査情報管理サーバ１０１に記憶された情報を参照しても構わない。なお、ステップＳ１１５は、ユーザが商品を使用する毎に繰り返されるものである。
【００６２】
ステップＳ１１６において、ユーザ情報記憶部１１４は、通信部１１１が受信した商品使用情報を記憶する。
【００６３】
ステップＳ１１７において、制御部１１２は、商品使用情報から商品の使用条件を満たしているか否かを判別する。使用条件を満たしていないと判別した場合にはステップＳ１１６へ処理を戻す。使用条件を満たしていると判別した場合には、ステップＳ１１８へ処理を進める。使用条件とは、使用された商品がキャンペーンに該当する商品であるか否か、ユーザが商品を使用する期間がその定められた期間を満たしたか否か、ユーザが商品を使用する頻度がその商品の推奨の頻度であるか否か等を判別する条件である。例えば、商品の推奨使用期間が２週間、推奨頻度が１日１回である場合、１週間連続して毎日１回、商品使用情報が送信されている場合には条件を満たしたものと判別する。また、ユーザが、キャンペーンに係る商品と異なる商品を使用している場合、使用条件を満たしていないものと判別する。
【００６４】
ステップＳ１１８において、制御部１１２は、基礎情報に基づいて、プレゼント検査キット（以下第２の検査キット）の発送情報を生成する。事業者は、第２の検査キットの発送情報に基づいて、ユーザに第２の検査キットを発送する。第２の検査キットの発送は、人が発送情報を確認して手作業で発送を行ってもよいし、検査情報管理サーバ１０１とネットワークＮＷを介して接続された自動発送システムによって、自動的に発送を行ってもよい。なお、第２の検査キットの発送情報は、ステップＳ１１８において、制御部１１２が使用条件を満たしたと判別したことをユーザに通知し、ユーザが図６で示す「プレゼント検査発送」ボタンを押すことを条件として生成してもよい。
【００６５】
ステップＳ１１９において、ユーザは、第２の検査を行うための第２の検査キットを使用し第２の検体を採取する。そして、ユーザは採取した第２の検体を事業者に送付する。第２の検体は、２回目すなわち初回から所定期間経過後の第２の時点でユーザの生体から採取したものである。所定期間は、例えば、商品の推奨使用期間である。ユーザは、第２の検体が例えば尿である場合に、尿を採取した瓶や、尿を濾紙にしみこませ乾燥させたものを郵送や宅配便にて事業者に送付することができる。
【００６６】
ステップＳ１２０において、事業者は、ステップＳ１１９でユーザから送付された第２の検体の検査を行う。ユーザ情報記憶部１１４は、入力部１１３から入力される第２の検体の検査結果をユーザの基礎情報、検査ＩＤと紐づけて記憶する。
【００６７】
ステップＳ１２１において、制御部１１２は、入力された第２の検査結果をユーザに提供する第２の検査結果情報として生成し、ユーザ情報記憶部１１４に記憶する。第２の検査結果情報は、第２の検査により第２の時点でのユーザの生体状態を示す情報である。
【００６８】
ステップＳ１２２において、制御部１１２は、通信部１１１及びネットワークＮＷを介して、生成された第２の検査結果情報を、ユーザ端末２０１に送信する。なお、第２の検査結果情報は、ユーザを特定する基礎情報に基づいて、郵送やＦＡＸ等により通知を行っても構わない。また、第２の検査結果情報と併せて第１の検査結果情報等を通知しても構わないし、それ以外の情報を併せて通知しても構わない。
【００６９】
以上のように、本実施形態における検査情報管理システム１では、ユーザが購入する第１の検査キットの情報、ユーザの基礎情報、アンケート情報、第１の検体の検査結果をもとに、ユーザにリコメンドする商品を商品情報記憶部１１５から抽出し、当該商品に係るキャンペーンの情報をリコメンド情報として生成し、ユーザに通知する。ユーザは、リコメンド情報から選択したキャンペーンにエントリし、商品の使用条件を満たすことで、第２の検査を受け、第２の検査結果情報を得ることができる。また、事業者から第２の検査キットを受け取ることができる。第２の検査に係る料金は、当該商品の供給元の商品供給者が予め、又は後日事業者に支払う。そのため、ユーザは第２の検査を無料又は廉価にて受けることができ、ユーザが検査を継続する負荷を低減することができる。なお、第２の検査に係る料金は、検査の費用のみならず、検査キット自体の価格を含んでいてもよい。
【００７０】
また、商品情報記憶部１１５に記憶される前記複数の商品情報は、それぞれエントリ可能数、すなわちエントリの上限数の情報を含んでいる。ユーザが、リコメンド情報から商品に係るキャンペーンをエントリすることに応じて商品に対応するエントリ可能数を、減算していき、エントリ可能数がゼロとなった場合には、他のユーザ等に対して当該商品に係るキャンペーンをリコメンド情報として生成しないようにすることができる。そのため商品供給者は、限定されたキャンペーンの数、すなわち第２の検査キットに係る費用負担を予め決められた予算の中で、キャンペーンに参加することができる。なお、エントリ可能数の管理は、キャンペーンをエントリすることに応じてエントリ数を加算していき、上限のエントリ数に達した場合にリコメンド情報を生成しないようにしても構わない。
【００７１】
また、本実施形態における検査情報管理システム１は、ユーザが回答する第１の検査キットに関連したアンケート情報に応じてリコメンド情報を生成することで、ユーザのライフスタイル等にマッチした商品をリコメンドすることができる。
【００７２】
また、本実施形態における検査情報管理システム１は、第１の検査キットの検査結果を用いてリコメンド情報を生成することで、第１の検査結果からわかるユーザの健康状態にマッチした商品をリコメンドすることができる。
【００７３】
また、本実施形態における検査情報管理システム１は、ユーザが選択する商品のユーザの使用状態に基づいて、第２の検査キットの発送を行うか否かを判別することもできる。ユーザが、商品を推奨された条件で使用している場合に、第２の検査キットを発送することとすることで、ユーザが商品を継続的に使用する動機付けとすることができる。また、商品の効果があると思われるユーザの第２の検査キットの検体を得ることができ、商品の効果測定を有効に行うことができる。
【００７４】
本実施形態における商品は、サプリメントのような栄養補助食品であってもよいし、石鹸、シャンプーや歯磨き、化粧用油、洗顔料や、洗顔フォーム、化粧品等の化粧品類であってもよい。さらには、当該商品は、美容や健康に関するサービスであってもよい。
【００７５】
なお、本実施形態における検査情報管理システム１では、ユーザが商品の使用条件を満たし、第２の検査キットを受け取り可能となることに応じて、商品の供給元に第２の検査キットの対価としての料金の支払いを請求してもよい。
【００７６】
（第２の実施形態）
本発明の第２の実施形態について説明する。第２の実施形態は、商品を提供する企業の企業端末と検査情報管理サーバ１０１がネットワークを介して接続されているシステムである。第２の実施形態における検査情報管理システム２は、第１の実施形態における検査情報管理システム１と基本構成はほぼ同じである。そのため、同一の構成の説明については省略し、異なる構成について説明する。また、ユーザ端末２０１の表示画面についても基本的には第１の実施形態と同じである。そのため、表示画面の説明についても省略する。
【００７７】
＜構成＞
図８は、本発明の第２の実施形態に係る検査情報管理サーバ１０１を含む検査情報管理システム２を示すシステム構成図である。図８に示すように、第２の実施形態に係る検査情報管理システム２は、インターネット、ＶＰＮ（Virtual Private Network）等のネットワークＮＷを介して、ユーザ側が使用する端末装置であるユーザ端末２０１と、企業側が使用する企業端末Ａ３０１、企業端末Ｂ３０２と、サービス事業者の検査情報管理サーバ１０１とが接続されて構成されている。企業端末を所有する企業は、例えば食品メーカや化粧品メーカであり、ユーザの生体に影響を与える商品を供給する事業者である。本実施形態では企業端末Ａと企業端末Ｂとは異なる企業が所有しているものとするが、同一企業が複数の企業端末を所有しても構わない。また、説明の簡略化のため図８では一人のユーザを想定してユーザ端末２０１のみを示しているが、検査情報管理サーバ１０１はネットワークＮＷを介して複数のユーザと接続可能である。
【００７８】
企業端末Ａ３０１、企業端末Ｂ３０２は、ユーザ端末２０１と同様に、例えばＰＣや、スマートフォン、タブレットＰＣ、及び携帯電話のような携帯端末であり、少なくともｗｅｂ情報を表示可能な端末である。ユーザ端末２０１、企業端末Ａ３０１、企業端末Ｂ３０２は、それぞれの端末にインストールされた専用のアプリケーションソフトウェアによって検査情報管理サーバ１０１にアクセスしてもよい。また、検査情報管理サーバ１０１が提供する動作環境（ＡＰＩ（アプリケーションプログラミングインタフェース）、プラットフォーム等）を利用して検査情報管理サーバ１０１にアクセスしてもよい。
【００７９】
＜処理の流れ＞
次に、本発明の実施形態に係る検査情報管理システム２の動作について、図９に示すフローチャートを参照しながら説明する。なお、基本的な動作については、図７で示す第１の実施形態に係るフローチャートとほぼ同じであるため、異なる動作について説明する。
【００８０】
図９は、検査キットに関する管理手順を示すフローチャートである。図９のフローチャートは、検査情報管理サーバ１０１、ユーザ端末２０１、企業端末Ａ３０１、企業端末Ｂ３０２の各動作の関連状態を示している。
【００８１】
ステップＳ２０１において、企業Ａは、事業者が提供する検査キットサービスにおいてユーザにリコメンドするための商品Ａの登録（エントリ）を行う。具体的には、企業Ａは、企業端末Ａ３０１から商品Ａの商品情報を検査情報管理サーバ１０１に送信し、送信された商品情報は、商品情報記憶部１１５に記憶される。ステップＳ２０２において、企業Ｂは、事業者が提供する検査キットサービスにおいてユーザにリコメンドするための商品Ｂの登録（エントリ）を行う。具体的には、企業Ｂは、企業端末Ｂ３０２から商品Ｂの商品情報を検査情報管理サーバ１０１に送信し、送信された商品情報は、商品情報記憶部１１５に記憶される。ステップＳ２０１及びステップＳ２０２は、当該フローチャートの実行に際して、必ず要するものではなく、１度登録を行えば当該ステップをスキップしても構わない。なお、事業者は、企業Ａ又は企業Ｂから提供のあった商品情報を入力部１１３からオペレータが入力しても構わない。
【００８２】
ステップＳ２０３からステップＳ２１３までは、図７で示す第１の実施形態に係るフローチャートのステップＳ１０１からステップＳ１１１に相当するため、説明を省略する。
【００８３】
ステップＳ２１４において、ユーザは、リコメンドされた商品に関連するキャンペーンを選択し、キャンペーンへのエントリを行い、同時に商品のオーダーを行う。ユーザ端末２０１は、キャンペーンエントリ情報と、商品のオーダー情報であるユーザオーダー情報を、ネットワークＮＷを介して検査情報管理サーバ１０１に送信する。
【００８４】
ステップＳ２１５において、通信部１１１はキャンペーンエントリ情報を受信する。制御部１１２は、キャンペーンエントリ情報に基づいて、キャンペーンへのエントリを行ったキャンペーンの情報をユーザ情報としてユーザ情報記憶部１１４に記憶する。その際、制御部１１２は、商品情報記憶部１１５に記憶された商品情報のエントリ数を１枠、減算する。
【００８５】
ステップＳ２１６において、制御部１１２は、ユーザ端末装置２０１から送信されたユーザオーダー情報に基づいて、企業にオーダーするための商品オーダー情報を生成する。商品オーダー情報には、ユーザを特定する基礎情報が含まれる。ステップＳ２１４で、商品Ａが選択されている場合、制御部１１２は商品Ａの係る商品オーダー情報を生成する。制御部１１２は、通信部１１１、ネットワークＮＷを介して企業端末Ａ３０１に商品オーダー情報を送信する。
【００８６】
ステップＳ２１７において、企業Ａは、送信された商品オーダー情報に基づいて、商品Ａをユーザへ発送する。なお、企業Ａは、事業者や、他の仲介業者を介してユーザに商品Ａを発送しても構わない。なお、例えば消費期限が短いもの等では複数回にわたって企業がユーザに商品を発送しても構わない。
【００８７】
ステップＳ２１８からステップＳ２２５までは、図７で示す第１の実施形態に係るフローチャートのステップＳ１１５からステップＳ１２２に相当するため、説明を省略する。
【００８８】
なお、制御部１１２は、商品オーダー情報及び第２の検査キットの発送情報に基づいて、商品Ａの提供企業である企業Ａに対して第２の検査に関する費用請求を行うための第２の検査課金情報を生成しても構わない。その際、通信部１１１、ネットワークＮＷを介して企業端末Ａ３０１に生成された第２の検査課金情報を送信する。企業Ａは、受信した第２の検査課金情報に基づき、事業者に対して第２の検査に関する費用の支払いを行っても構わない。
【００８９】
以上説明したように、ユーザ端末２０１と、企業端末Ａ３０１、企業端末Ｂ３０２と、検査情報管理サーバ１０１とがネットワークＮＷを介して接続されているため、検査キットサービスの提供を、運用の人的負荷を低減しながら行うことができる。
【００９０】
（第３の実施形態）
第１の実施形態および第２の実施形態では、ユーザの生体状態は、検体の採取を行った検査キットの検査結果として示したが、本発明においては、検査キットは必ずしも必要はなく、検査希望ユーザから送信される情報による検査結果であっても良い。第３の実施形態では、第１の実施形態および第２の実施形態における検査キットを用いて採取した検体の代わりに検査希望ユーザから送信される情報により検査結果を示すシステムについて説明する。なお、第３の実施形態における検査情報管理システムは、第１の実施形態における検査情報管理システム１と基本構成はほぼ同じである。そのため、同一の構成の説明については省略し、異なる構成について説明する。また、ユーザ端末２０１の表示画面についても基本的には第１の実施形態と同じである。そのため、表示画面の説明についても省略する。
【００９１】
事業者は、検査サービスを提供する事業者である。事業者は、検査用のアプリケーションソフトウェアの提供や、Ｗｅｂによる検査サービスの受付を行う。
【００９２】
商品供給者は、事業者が提供するサービスに参加し、ユーザへのリコメンド対象となる商品を供給する。商品供給者は、サービスに参加し、事業者に対して費用の支払いを行う。事業者は、商品供給者から支払われる費用により、ユーザに第２の検査を無償又は廉価に提供することができる。
【００９３】
事業者が提供する検査サービスは、例えば、「肌」の状態の検査や、「聴覚」の状態の検査、また、「認知症」等の反応力の検査等、生体から採取した検体を用いることなく、情報として採取することで、検査結果とすることができるものを含む。具体的には、「肌」の状態を撮影し、その画像情報から検査結果を導き出すことができる。また、「聴覚」では、ユーザ端末２０１から、周波数を変え、また音量を変化させた音を出力し、ユーザがその音に反応できたか否かを入力情報として採取し、その情報から検査結果とすることができる。また「認知症」検査では、ユーザが、ユーザ端末２０１の画面の表示の変化を視認し、それに対応する操作を行い、表示の変化と操作のタイムラグを反応情報として採取し、その情報から検査結果とすることができるものである。
【００９４】
＜処理の流れ＞
次に、本発明の実施形態に係る検査情報管理システムの動作について、図１０に示すフローチャートを参照しながら説明する。
【００９５】
図１０は、検査に関する管理手順を示すフローチャートである。図１０のフローチャートは、検査情報管理サーバ１０１、ユーザ端末２０１の各動作の関連状態を示している。
【００９６】
ステップＳ３０１において、ユーザは、ユーザ端末２０１に事業者が提供する検査アプリケーションソフトウェア（以下検査アプリ）をインストールし、当該検査アプリを用いてマイページ登録を行う。具体的には、ユーザは、ユーザ端末２０１の図２で示す画面から新規登録を行い、ユーザ個人の基礎情報を入力する。ユーザ端末２０１は、入力された基礎情報を、検査情報管理サーバ１０１に送信する。基礎情報は、例えば、ユーザＩＤ、ユーザのメールアドレス、ユーザが希望するパスワード、氏名、性別、生年月日、住所、電話番号等の個人に紐づけられる情報である。なお、ユーザは、検査アプリを用いることなく、ユーザ端末２０１から事業者のＷｅｂサイトにアクセスしてマイページ登録を行っても構わない。
【００９７】
ステップＳ３０２において、ユーザ情報記憶部１１４は、通信部１１１が受信した基礎情報を記憶する。
【００９８】
ステップＳ３０３において、ユーザは、ユーザは、ユーザ端末２０１にインストールされた検査アプリから初回の検査（第１の検査）の検査項目を選択する（第１の検査の選択）。例えば、肌の状態を検査したい場合には「肌」の検査項目を選択し、聴覚の状態を検査したい場合には「聴覚」の検査項目を選択する。なお、検査項目に応じて検査の価格が表示され、ユーザが選択した検査に応じて、事業者は当該価格をユーザに請求しても構わない。ユーザ端末２０１は、選択された検査項目の情報を検査情報管理サーバ１０１に送信する。
【００９９】
ステップＳ３０４において、ユーザ情報記憶部１１４は、通信部１１１が受信した選択された検査項目の情報を記憶する。
【０１００】
ステップＳ３０５において、ユーザは、図４で示す画面で、アンケートの入力を行う。ユーザ端末２０１は、入力された検査ＩＤ及びアンケート情報を、検査情報管理サーバ１０１に送信する。
【０１０１】
ステップＳ３０６において、ユーザ情報記憶部１１４は、通信部１１１が受信したアンケート情報を記憶する。
【０１０２】
ステップＳ３０７において、ユーザは、初回すなわち第１の検査を行うための情報を入力する。具体的には、例えば、「肌」の検査項目を選択している場合には、肌の写真をユーザ端末２０１の付属するカメラで撮影し、画像を情報として入力する。また、「聴覚」の検査項目を選択している場合には、ユーザ端末２０１から出力された音をユーザが聞き取り、音が聞こえる場合にはボタンを押すことによって、情報として入力することができる。ユーザ端末２０１は、入力された情報（入力情報）を検査情報管理サーバ１０１に送信する。
【０１０３】
ステップＳ３０８において、ユーザ情報記憶部１１４は、通信部１１１が受信した入力情報を記憶する。事業者は、入力情報に基づいて検査を行い検査結果とする。なお、検査情報管理サーバ１０１又は他のコンピュータが、入力情報に基づいて自動的に検査結果を出力しても構わない。
【０１０４】
ステップＳ３０９において、制御部１１２は、ステップＳ３０８で検査を行った検査結果をユーザに提供する第１の検査結果情報として生成し、ユーザ情報記憶部１１４に記憶する。第１の検査結果情報は、第１の検査により第１の時点でのユーザの生体状態を示す情報である。
【０１０５】
ステップＳ３１０において、制御部１１２は、ユーザが選択した第１の検査の種類、ユーザの基礎情報、アンケート情報、第１の検査結果情報をもとに、ユーザにリコメンドする商品を商品情報記憶部１１５から抽出し、当該商品に係るキャンペーンの情報をリコメンド情報として生成する。例えば、制御部１１２は、「肌」の検査項目を選択したユーザであって、乳製品が好きというアンケート情報がある場合、肌状態へ効果を及ぼすヨーグルト商品等をリコメンド商品として抽出し、当該リコメンド商品のキャンペーンをリコメンド情報として生成する。
【０１０６】
ステップＳ３１１において、制御部１１２は、リコメンド情報に含まれるキャンペーンが、キャンペーンのエントリ数に残数があるか否かを判別する。残数がある（Ｙ）場合、ステップＳ３１２へ処理を進める。残数がない（Ｎ）場合、ステップＳ３１０へ処理を進め、当該キャンペーンに係る商品は除外して再度リコメンドする商品を抽出し、当該商品のキャンペーンを含むリコメンド情報を生成する。
【０１０７】
ステップＳ３１２において、制御部１１２は、通信部１１１及びネットワークＮＷを介して、生成された第１の検査結果情報及びリコメンド情報を、ユーザ端末２０１に送信する。
【０１０８】
ステップＳ３１３において、ユーザは、リコメンドされた商品に関連するキャンペーンを選択し、キャンペーンへのエントリを行う。具体的には、ユーザは、ユーザ端末２０１から、図５に相当する画面で、各商品のキャンペーンに対応する「参加する」ボタンを押すことにより、キャンペーンへのエントリを行う。ユーザ端末２０１は、選択された商品の情報をキャンペーンエントリ情報としてネットワークＮＷを介して検査情報管理サーバ１０１に送信する。
【０１０９】
ステップＳ３１４において、通信部１１１はキャンペーンエントリ情報を受信する。制御部１１２は、キャンペーンエントリ情報に基づいて、キャンペーンへのエントリを行ったキャンペーンの情報（キャンペーン管理情報）をユーザ情報としてユーザ情報記憶部１１４に記憶する。その際、制御部１１２は、商品情報記憶部１１５に記憶された商品情報のエントリ数を１枠、減算する。
【０１１０】
ステップＳ３１５において、ユーザは、キャンペーンへのエントリを行った対象の商品を購入する。ユーザは商品を店舗で購入してもよいし、ｅコマースサイトを通じて購入しても構わない。また、ユーザは、商品を提供する商品供給者から直接郵送等により購入しても構わないし、事業者や、他の仲介業者を介して購入しても構わない。
【０１１１】
ステップＳ３１６において、ユーザは、商品の使用を開始し、商品の使用状況の情報を事業者に送信する。具体的には、ユーザは、ユーザ端末２０１から、商品を商品供給者が推奨するタイミングで使用していることを示す商品使用情報を入力し、ネットワークＮＷを介して検査情報管理サーバ１０１に送信する。なお、ステップＳ３１６は、ユーザが商品を使用する毎に繰り返されるものである。
【０１１２】
ステップＳ３１７において、ユーザ情報記憶部１１４は、通信部１１１が受信した商品使用情報を記憶する。
【０１１３】
ステップＳ３１８において、制御部１１２は、商品使用情報から商品の使用条件を満たしているか否かを判別する。使用条件を満たしていないと判別した場合にはステップＳ３１７へ処理を戻す。使用条件を満たしていると判別した場合には、ステップＳ３２０へ処理を進める。使用条件とは、使用された商品がキャンペーンに該当する商品であるか否か、ユーザが商品を使用する期間がその定められた期間を満たしたか否か、ユーザが商品を使用する頻度がその商品の推奨の頻度であるか否か等を判別する条件である。例えば、商品の推奨使用期間が２週間、推奨頻度が１日１回である場合、１週間連続して毎日１回、商品使用情報が送信されている場合には条件を満たしたものと判別する。また、ユーザが、キャンペーンに係る商品と異なる商品を使用している場合、使用条件を満たしていないものと判別する。
【０１１４】
ステップＳ３１９において、ステップＳ３０７と同様にユーザは、第２の検査を行うための情報を入力する。ユーザ端末２０１は、入力された情報（入力情報）を検査情報管理サーバ１０１に送信する。入力される情報は、初回から所定期間経過後の第２の時点でユーザの生体状態に関する情報であり、所定期間は、例えば、商品の推奨使用期間である。
【０１１５】
ステップＳ３２０において、ステップＳ３０８と同様に、ユーザ情報記憶部１１４は、通信部１１１が受信した入力情報を記憶する。事業者は、入力情報に基づいて検査を行い検査結果とする。なお、検査情報管理サーバ１０１又は他のコンピュータが、入力情報に基づいて自動的に検査結果を出力しても構わない。
【０１１６】
ステップＳ３２１において、制御部１１２は、入力された第２の検査結果をユーザに提供する第２の検査結果情報として生成し、ユーザ情報記憶部１１４に記憶する。第２の検査結果情報は、第２の検査により第２の時点でのユーザの生体状態を示す情報である。
【０１１７】
ステップＳ３２２において、制御部１１２は、通信部１１１及びネットワークＮＷを介して、生成された第２の検査結果情報を、ユーザ端末２０１に送信する。
【０１１８】
以上のように、第３の実施形態における検査情報管理システムでは、ユーザは物理的な検査キットを購入することなく、ユーザ端末２０１等によりネットワークＮＷを介して入力情報を送信することで、検査結果情報を得ることができるものである。ユーザは、リコメンド情報から選択したキャンペーンにエントリし、商品の使用条件を満たすことで、第２の検査結果情報を得ることができる。第２の検査に係る料金は、当該商品の供給元の商品供給者が予め、又は後日事業者に支払う。そのため、ユーザは第２の検査を無料又は廉価にて受けることができ、ユーザが検査を継続する負荷を低減することができる。
【０１１９】
（プログラム）
ここで、本実施形態に係る検査情報管理サーバ１０１を構成する各機能を実現するためのプログラムの詳細について説明する。
【０１２０】
検査情報管理サーバ１０１は、コンピュータに実装される。そして、検査情報管理サーバ１０１の各構成要素の動作は、プログラムの形式で補助記憶装置に記憶されている。ＣＰＵは、プログラムを補助記憶装置から読み出して主記憶装置に展開し、当該プログラムに従って上記処理を実行する。また、ＣＰＵは、プログラムに従って、上記した記憶部に対応する記憶領域を主記憶装置に確保する。
【０１２１】
当該プログラムは、具体的には、コンピュータに、ユーザに紐づけられるユーザ情報と、ユーザの生体状態に関する情報である第１の検査結果情報と、を記憶するステップと、前記第１の検査結果情報及び／又は前記ユーザ情報により、前記ユーザにリコメンドする商品の情報であるリコメンド情報を生成するステップと、前記ユーザがリコメンド情報から選択した商品の使用情報を条件として利用して、第２の検査結果情報を生成するステップと、を実行させるものである。
【０１２２】
なお、補助記憶装置は、一時的でない有形の媒体の一例である。一時的でない有形の媒体の他の例としては、インタフェースを介して接続される磁気ディスク、光磁気ディスク、ＣＤ−ＲＯＭ、ＤＶＤ−ＲＯＭ、半導体メモリ等が挙げられる。また、このプログラムがネットワークを介してコンピュータに配信される場合、配信を受けたコンピュータが当該プログラムを主記憶装置に展開し、上記処理を実行しても構わない。
【０１２３】
また、当該プログラムは、前述した機能の一部を実現するためのものであっても構わない。更に、当該プログラムは、前述した機能を補助記憶装置に既に記憶されている他のプログラムとの組み合わせで実現するもの、いわゆる差分ファイル（差分プログラム）であっても構わない。
【０１２４】
これまで説明してきた実施形態は、その他の様々な形態で実施されることが可能であり、発明の要旨を逸脱しない範囲で種々の省略、置き換え、変更を行うことができる。これら実施形態やその変形は、発明の範囲や要旨に含まれると同様に、特許請求の範囲に記載された発明とその均等の範囲に含まれるものとする。
【符号の説明】
【０１２５】
１、２  検査情報管理システム
１０１  検査情報管理サーバ
１１１  通信部
１１２  制御部
１１３  入力部
１１４  ユーザ情報記憶部
１１５  商品情報記憶部
２０１  ユーザ端末
３０１  企業端末Ａ
３０２  企業端末Ｂ
５０１  端末装置
５０２  表示画面
ＮＷ    ネットワーク
【図１】
2020035082.tif 000003
【図２】
2020035082.tif 000004
【図３】
2020035082.tif 000005
【図４】
2020035082.tif 000006
【図５】
2020035082.tif 000007
【図６】
2020035082.tif 000008
【図７】
2020035082.tif 000009
【図８】
2020035082.tif 000010
【図９】
2020035082.tif 000011
【図１０】
2020035082.tif 000012